(57)【要約】      （修正有）【課題】ディスクの着脱を繰り返してもセンタケースにクラックが生じ難くする。【解決手段】モータの回転部に固定されるチャッキング装置４０は、センタケース、センタケース内に収容される複数の弾性部材４３および各弾性部材に付勢される爪部材４２を備える。ゲートは、各第１開口部４１４１の時計回りの方向、かつ、各第１開口部４１４１の時計回りの方向に最も近いスリット４２０との間に配置されている。各ゲート（ゲート痕４２１）は、各調芯爪４１５の周方向の中心と中心軸J１を結ぶ直線、および、直線から反時計回り方向における第１開口部４１４１および第２開口部４１４２との間の領域に形成されていればよい。【選択図】図４
2012014801.tif 000002
【特許請求の範囲】
【請求項１】
中心開口部を有する円盤状ディスクを着脱可能とするチャッキング装置が上端に固定される回転部と、該回転体を回転自在に支持する軸受部材と、前記軸受部材に連結され、ステータを有する静止部と、を備え、
前記回転部は、
中心軸を中心に回転するシャフトと、
前記シャフトとともに回転し、円板状の環状部と、前記環状部の外周縁から軸方向下側に伸びる円筒状の円筒部と、を有するロータホルダと、
前記ロータホルダの内側に固定され、前記ステータと対向する界磁用磁石と、を備え、
前記チャッキング装置は、
中心軸と同軸に配置され、中央にシャフトが挿通されるケース基部と、前記ケース基部から径方向外方に向けて延びるケース上部と、前記ケース上部の外縁から径方向外側に向かうにつれて軸方向下側へ延びるガイド部と、
前記ガイド部の一部および前記一部から径方向内側に向かって前記ケース上部が切り欠かれて構成される複数の第１開口部と、
前記開口部と周方向に交互に配置され、前記ガイド部の径方向外端からケース上部の一部まで径方向内側に向かって延びる一対のスリットが周方向両端にそれぞれ設けられ、外面が前記ガイド部よりも径方向外方に位置することによって一対の前記スリット間に形成される複数の調芯爪と、
前記ケース基部の外周面から前記第1開口部に向けて延びる複数の基部突起部と、
前記基部突起部の軸方向上側において前記ケース上部に構成される第２開口部と、を備える、樹脂材料にて形成されるセンタケースと、
前記センタケースに収容され、前記基部突起部に固定される複数の弾性部材と、
前記弾性部材の径方向外側に配置され、先端部が前記開口部から前記ガイド部の径方向外側に突出し、前記弾性部材によって径方向外方に付勢される複数の爪部材と、を備え、
前記センタケースが成型される際に形成されるゲート痕は、前記ケース上部上であって、
前記各調芯爪の周方向の中心と前記中心軸を結ぶ直線、および、該各直線から回転方向前方において最も近く配置された前記第１開口部または前記第２開口部との間の領域、
または、
前記各調芯爪の周方向の中心と前記中心軸を結ぶ直線、および、該各直線から回転方向後方において最も近く配置された前記第１開口部または前記第２開口部との間の領域、
のいずれかに位置して配置されるモータ。
【請求項２】
前記スリットの前記ケース上部に配置される部位の径方向内側に延びる長さが前記ケース上部の半径の１／３よりも長い請求項１に記載のモータ。
【請求項３】
前記各ゲート痕が、前記第１開口部の径方向内端および前記スリットの径方向内端よりも径方向外側に配置される請求項１または２に記載のモータ。
【請求項４】
一対の前記スリットの周方向の間隔は、前記第１開口部の周方向の幅よりも大きい請求項１から３のいずれかに記載のモータ。
【請求項５】
前記爪部材の下面は、径方向外方に向かうにつれて軸方向上側に傾斜する第１摺接面が形成されており、前記第１開口部の軸方向下側には前記ガイド部から前記第１開口部に向けて延びる前記第１摺接面と摺接する爪案内部が形成されている請求項１から４のいずれかに記載のモータ。
【請求項６】
前記爪案内部は、前記第１開口部の両側に位置する前記ガイド部のそれぞれから前記第１開口部に向かって延びる請求項５に記載のモータ。
【請求項７】
前記爪案内部は、前記第１開口部の両側に位置する前記ガイド部同士を連結している請求項５に記載のモータ。
【請求項８】
前記ロータホルダは前記中心軸と同軸に配置されたシャフト固定部を有しており、前記シャフトの上端は、前記シャフト固定部に固定され、前記円筒部には前記シャフト固定部が圧入固定されている請求項１から７のいずれかに記載のモータ。
【請求項９】
前記各調芯爪、前記各第１開口部、前記各第２開口部、および前記各ゲート痕は、点対称に配置される、請求項１から８のいずれかに記載のモータ。
【請求項１０】
請求項１から９のいずれかに記載のモータと、
ディスクに対する情報の読み出しおよび／または書き込みを行うアクセス部と、
前記モータおよび前記アクセス部を収容する筐体と、を有するディスク駆動装置。
【発明の詳細な説明】
【技術分野】
【０００１】
本発明は、中心孔を有するディスクを固定するチャッキング装置を有するモータに関する。
【背景技術】
【０００２】
従来より、ディスク駆動装置においてブルーレイディスク、ＤＶＤ（digital versatile disc）、ＣＤ（compact disc）等の光ディスクを着脱可能に保持するチャッキング装置が用いられている。以下、これらの光ディスクを、単に「ディスク」という。チャッキング装置は、モータの回転部に取り付けられる。ディスクは、回転部と共に回転する。
【０００３】
薄型のチャッキング装置は、モータの中心軸を中心に放射状に配置され、外側へと付勢されて径方向にスライドする複数の爪部材を有する。爪部材は、センタケースに形成された開口から径方向外方に向かって突出した状態で配置されている。センタケースはシャフトと同軸上に配置された貫通孔が形成されており、貫通孔には、シャフトが挿通されている。
【０００４】
センタケースは、樹脂材料による射出成型にて形成される。従来より、センタケースは、樹脂の流動性による製品バラツキを考慮して複数のゲートが設けられている。例えば、特開２００４−３２７００１号公報では、ゲート痕が３箇所配置されている。また、ゲート痕は、周方向において調芯爪と一致しており、調芯爪よりも径方向内側に配置されている。
【特許文献１】特開２００４−３２７００１号公報
【発明の概要】
【発明が解決しようとする課題】
【０００５】
ところで、複数のゲートから樹脂が流入された場合、金型のキャビティ内において各ゲートから流入された樹脂が合流し、合流した部位においてウェルドラインが形成される。ウェルドラインは、他の部位よりも外部からの負荷に弱く、クラック等が発生しやすい。特許文献１に開示されたディスクドライブホルダーにおいては、図１においてチャックと調芯爪とが互い違いに等配されている。ゲートから流入された樹脂は、センタケースのチャックより径方向内側の部位にウェルドラインが形成される。この場合、ディスクの着脱を繰り返すとセンタケースにクラックが生じる虞がある。
【０００６】
本発明は、上記課題に鑑みなされたものであり、センタケースにクラックが生じ難くすることを主たる目的としている。
【課題を解決するための手段】
【０００７】
本発明の一の側面に係る例示的なモータは、中心開口部を有する円盤状ディスクを着脱可能とするチャッキング装置が上端に固定される回転部と、該回転体を回転自在に支持する軸受部材と、前記軸受部材に連結され、ステータを有する静止部と、を備え、前記回転部は、中心軸を中心に回転するシャフトと、前記シャフトとともに回転し、円板状の環状部と、前記環状部の外周縁から軸方向下側に伸びる円筒状の円筒部と、を有するロータホルダと、前記ロータホルダの内側に固定され、前記ステータと対向する界磁用磁石と、を備え、前記チャッキング装置は、中心軸と同軸に配置され、中央にシャフトが挿通されるケース基部と、前記ケース基部から径方向外方に向けて延びるケース上部と、前記ケース上部の外縁から径方向外側に向かうにつれて軸方向下側へ延びるガイド部と、前記ガイド部の一部および前記一部から径方向内側に向かって前記ケース上部が切り欠かれて構成される複数の第１開口部と、前記開口部と周方向に交互に配置され、前記ガイド部の径方向外端からケース上部の一部まで径方向内側に向かって延びる一対のスリットが周方向両端にそれぞれ設けられ、外面が前記ガイド部よりも径方向外方に位置することによって一対の前記スリット間に形成される複数の調芯爪と、前記ケース基部の外周面から前記第1開口部に向けて延びる複数の基部突起部と、前記基部突起部の軸方向上側において前記ケース上部に構成される第２開口部と、を備える、樹脂材料にて形成されるセンタケースと、前記センタケースに収容され、前記基部突起部に固定される複数の弾性部材と、前記弾性部材の径方向外側に配置され、先端部が前記開口部から前記ガイド部の径方向外側に突出し、前記弾性部材によって径方向外方に付勢される複数の爪部材と、を備え、前記センタケースが成型される際に形成されるゲート痕は、前記ケース上部上であって、前記各調芯爪の周方向の中心と前記中心軸を結ぶ直線、および、該各直線から回転方向前方において最も近く配置された前記第１開口部または前記第２開口部との間の領域、または、前記各調芯爪の周方向の中心と前記中心軸を結ぶ直線、および、該各直線から回転方向後方において最も近く配置された前記第１開口部または前記第２開口部との間の領域、のいずれかに位置して配置される。
【発明の効果】
【０００８】
本発明では、センタケースにおけるクラックの発生を抑制することができる。
【図面の簡単な説明】
【０００９】
【図１】図１は、ディスク駆動装置の縦断面図である。
【図２】図２は、モータユニットの縦断面図である。
【図３】図３は、チャッキング装置の縦断面図である。
【図４】図４は、チャッキング装置の平面図である。
【図５】図５は、爪部材の平面図である。
【図６】図６は、爪部材の縦断面図である。
【図７】図７は、爪部材の先端の拡大図である。
【図８】図８は、チャッキング装置の縦断面図である。
【図９】図９は、爪部材の動作を示す図である。
【図１０】図１０は、爪部材の動作を示す図である。
【図１１】図１１は、爪部材の動作を示す図である。
【図１２】図１２は、爪部材の動作を示す図である。
【図１３】図１３は、爪部材の動作を示す図である。
【図１４】図１４は、先端部の拡大図である。
【図１５】図１５は、先端部の拡大図である。
【図１６】図１６は、先端部の拡大図である。
【図１７】図１７は、チャッキング装置の平面図である。
【図１８】図１８は、チャッキング装置の他の実施形態を示す平面図である。
【図１９】図１９は、チャッキング装置の他の実施形態を示す平面図である。
【図２０】図１６は、チャッキング装置の他の実施形態を示す平面図である。
【発明を実施するための形態】
【００１０】
本明細書では、中心軸Ｊ１方向において、図中の上側を単に「上側」と呼び、図中の下側を単に「下側」と呼ぶ。「上側」および「下側」という表現は、必ずしも重力方向と一致する必要はない。
【００１１】
（ディスク駆動装置の構造）
図１は、本発明の例示的な一実施形態に係るディスク駆動装置５０の縦断面図である。ディスク駆動装置５０は、モータユニット１と、アクセス部５１と、筐体５２と、を備える。筐体５２は、箱状であり、モータユニット１およびアクセス部５１を収容する。モータユニット１は、情報を記録するディスク９を回転する。アクセス部５１は、ヘッド５１１と、ヘッド移動機構５１２と、を備える。ヘッド５１１は、ディスク９に対する情報の読み出しおよび／または書き込みを行う光ピックアップ機構である。ヘッド移動機構５１２は、ヘッド５１１をモータユニット１およびディスク９に対して移動する。ヘッド５１１は、光出射部と、受光部と、を有する。光出射部は、ディスク９の下面に向けてレーザ光を出射する。受光部は、ディスク９からの反射光を受光する。筐体５２は、蓋部５２１を上部に有する。蓋部５２１は、ディスク駆動装置５０内へのディスク９の取り付けおよび取り出し時に開閉する。
【００１２】
ディスク駆動装置５０では、モータユニット１の上側にチャッキング装置４０が取り付けられる。チャッキング装置４０にディスク９の中心孔９１を嵌入することにより、ディスク９が固定される。モータユニット１の駆動に伴い、ディスク９が回転しつつ、ヘッド移動機構５１２がヘッド５１１を径方向の所要の位置へと移動する。これにより、ディスク９に対する情報の読み出しおよび／または書き込みがヘッド５１１にて行われる。
【００１３】
（モータユニットの構造）
図２は、モータユニット１の縦断面図である。ディスク回転用のモータユニット１は、電動式のモータ１０と、チャッキング装置４０と、を備える。チャッキング装置４０は、ディスク９を着脱可能に固定する。モータ１０は、回転部２０と、静止部３０と、を備える。回転部２０は、中心軸Ｊ１を中心に回転する。静止部３０は、回転部２０を回転可能に支持する。チャッキング装置４０は、回転部２０の上端、すなわち、静止部３０とは反対側に取り付けられる。以下の説明では、中心軸Ｊ１を中心とする径方向を単に「径方向」、中心軸Ｊ１を中心とする周方向を単に「周方向」、中心軸Ｊ１に平行な方向を単に「軸方向」と呼ぶ。
【００１４】
回転部２０は、シャフト２１と、ロータホルダ２２と、を備える。シャフト２１は、中心軸Ｊ１を中心とする略円柱状である。ロータホルダ２２は、シャフト２１の上部に固定される。ロータホルダ２２は、シャフト固定部２２１と、環状部２２２と、円筒部２２３と、を有する。シャフト固定部２２１は、円筒状である。シャフト固定部２２１には、シャフト２１が嵌め込まれる。環状部２２２は、シャフト固定部２２１の下部から径方向外側に広がる。円筒部２２３は円筒状であり、環状部２２２の外周縁から下側に延びる。円環状の界磁用磁石２３は、円筒部２２３の内周面に接着にて固定される。
【００１５】
環状部２２２は、外側環状部２５２と、内側環状部２５１と、を有する。外側環状部２５２には、円筒部２２３が接続される。内側環状部２５１は、外側環状部２５２よりも上側に位置する。外側環状部２５２の下面には、抜止部材２４が固定される。抜止部材２４は、径方向内方に向かって延びる複数の突起部２４１を有する。突起部２４１の個数は、例えば３個である。ロータホルダ２２は、薄板をプレス加工することにより形成される。薄板は、例えば磁性体にて形成される。
【００１６】
静止部３０は、略円筒状のスリーブ３１と、ベアリングブッシュ３２と、プレート３３と、スラストプレート３４と、を有する。スリーブ３１は、シャフト２１を回転自在に支持する。ベアリングブッシュ３２は、スリーブ３１が挿入される中空孔を有する。プレート３３は、ベアリングブッシュ３２の中空孔の下側を閉塞する。スラストプレート３４は、プレート３３の内底面に配置される。スラストプレート３４は、シャフト２１の下端と当接することによりシャフト２１を軸方向に支持する。静止部３０は、ステータ３５と、回路基板３６と、取付板３７と、をさらに備える。ステータ３５は、ベアリングブッシュ３２の周囲に配置される。回路基板３６は、ステータ３５の下側に配置される。取付板３７は、ベアリングブッシュ３２に固定される。
【００１７】
スリーブ３１は、含油焼結金属にて形成される。スリーブ３１の内周面は、潤滑油を介してシャフト２１の外周面を支持する軸受面である。ベアリングブッシュ３２は、円筒部３２１と、ステータ固定部３２２と、を有する。円筒部３２１は、スリーブ３１を固定する。スリーブ３１とベアリングブッシュ３２とで、軸受部材を構成する。ステータ固定部３２２は、円筒部３２１の下部から径方向外側に広がる。ステータ３５は、ステータ固定部３２２に接着にて固定される。ベアリングブッシュ３２の下面には、内側突起部３２３と、外側突起部３２４と、が形成される。内側突起部３２３は、プレート３３を固定する。外側突起部３２４は、内側突起部３２３より径方向外側に配置され、取付板３７を固定する。
【００１８】
円筒部３２１の上端部には、径方向外側に突出するフランジ部３９１が形成される。抜止部材２４の突起部２４１は、フランジ部３９１の下方に位置する。突起部２４１の中心軸Ｊ１側のエッジは、フランジ部３９１の外周縁よりも径方向内側に位置する。回転部２０が上側に移動すると、突起部２４１の上面が、フランジ部３９１の下面と接触する。これにより、回転部２０の移動が制限される。ベアリングブッシュ３２の上面には、円環状の予圧マグネット２５が設けられる。予圧マグネット２５は、抜止部材２４と軸方向に対向する。予圧マグネット２５と抜止部材２４との間に、磁気的吸引力が発生する。
【００１９】
ステータ３５は、コア３５１と、コイル３５２と、を備える。コア３５１は、複数の薄板の磁性鋼板を上下方向に積層して形成される。コア３５１は、円環状のコアバック部３８１と、複数のティース部３８２と、により構成される。ティース部３８２は、コアバック部３８１から径方向外方へと放射状に延びる。コイル３５２は、導線が各ティース部３８２に多層に巻回されることにより形成される。モータ１０では、図示省略の外部電源からコイル３５２に電流を流すことにより、コイル３５２と界磁用磁石２３との間にトルクが発生する。これにより、回転部２０が中心軸Ｊ１を中心として時計回りに回転する。モータ１０は、界磁用磁石がステータの内側に配置されるインナロータ型であってもよい。
【００２０】
（チャッキング装置の構造）
図３は、チャッキング装置４０の拡大図である。中心軸Ｊ１から右側のみを示している。図４は、チャッキング装置４０の平面図である。
【００２１】
薄型のチャッキング装置４０は、センタケース４１と、複数の爪部材４２と、弾性部材４３と、環状のディスク載置部４４と、を備える。センタケース４１は、中心軸Ｊ１を中心とする中空かつ厚い円板状である。センタケース４１は、ディスク９の中心孔９１に挿入される。複数の爪部材４２は、センタケース４１から外側へ突出する。弾性部材４３は、センタケース４１内に収容されて各爪部材４２を径方向外方へと付勢する。センタケース４１は、ディスク載置部４４の内側に位置する。ディスク載置部４４には、ディスク９が載置される。複数の爪部材４２は、ディスク９をディスク載置部４４上に固定する。爪部材４２の個数は、本実施の形態では３個である。後述するように、ディスク９の載置時には、ディスク載置部４４の上面であり中心軸Ｊ１を中心とする環状のディスク載置面４４１に、ディスク９の下面が当接する。本実施の形態では、弾性部材４３にコイルばねが用いられる。弾性部材４３には、弾性を有し、爪部材４２を付勢することができるのであれば、他の部材が用いられてもよい。
【００２２】
センタケース４１は、ケース基部４１１と、ケース上部４１２と、ケース側部４１３と、を備える。センタケース４１は、たとえばポリカーボネートなどの樹脂材料製である。ケース基部４１１は、厚肉かつ略円筒状である。ケース基部４１１には、シャフト固定部２２１が挿入される。ケース上部４１２は、ケース基部４１１から径方向外方に広がり、中心軸Ｊ１に垂直な円盤状である。ケース側部４１３は、ケース上部４１２の外縁部からディスク載置部４４に向かって下方へと延び、中心軸Ｊ１を囲む壁状である。
【００２３】
ケース上部４１２およびケース側部４１３には、中心軸Ｊ１を中心とする周方向に等角度間隔にて、複数の開口４１４が形成される。開口４１４は、第１開口部４１４１と、第２開口部４１４２とからなる。
【００２４】
第１開口部４１４１は、ケース側部４１３から、ケース上部４１２の一部にわたって形成される。各第１開口部４１４１内には、先端部を径方向外方に向けた状態にて爪部材４２が配置される。換言すれば、複数の爪部材４２は、中心軸Ｊ１を中心に放射状に配置される。複数の爪部材４２の先端部は、複数の第１開口部４１４１からそれぞれ突出する。
【００２５】
第２開口部４１４２は、各第１開口部４１４１の周方向の位置に対応して、各第１開口部４１４１の径方向内側に設けられる。第１開口部４１４１と第２開口部４１４２との間には、架橋部４１２１が形成される。第２開口部４１４２は、平面視において略方形状であり、周方向の幅は、第１開口部４１４１よりも狭い。
【００２６】
ケース側部４１３には、互いに隣接する２つの第１開口部４１４１の間に調芯爪４１５が設けられる。調芯爪４１５は、ケース側部４１３の径方向外端からケース上部４１２の一部まで径方向内側に向かって延びる一対のスリット４２０が周方向両端にそれぞれ設けられて構成される。したがって、調芯爪４１５は、ケース上部４１２に対して片持ち状に支持される。なお、スリット４２０の径方向内側に延びる長さは、ケース上部４１２の半径の１／３よりも長く設けられることが望ましい。また、調芯爪４１５の周方向の幅（すなわち、一対のスリット４２０の間隔）は、第１開口部４１４１の周方向の幅よりも広く設けられることが望ましい。調芯爪４１５の外面は、ケース側部４１３よりも径方向外方に位置する。チャッキング装置４０にディスク９が固定される際には、調芯爪４１５の先端がディスクの中心孔９１と当接する。この際、調芯爪４１５は径方向内側に撓み、ディスクの中心孔の中心と、中心軸Ｊ１とが同軸となるように調芯する。なお、ケース側部４１３のうち第１開口部４１４１および調芯爪４１５が形成されない部位はガイド部となる。ガイド部は調芯爪４１５と比較して撓みにくく構成されており、ガイド部よりも径方向内側にディスク９が位置することはない。これにより、チャッキング装置４０の中心軸Ｊ１とディスク９の中心軸とがほぼ一致する。
【００２７】
図３に示すように、ケース基部４１１の下部には、径方向外側に向かって突出する略円柱状の基部突起部４１７が形成される。基部突起部４１７と、第２開口部４１４２の位置は、平面視において一致する。また、基部突起部４１７の径方向長さおよび周方向の幅は、第２開口部４１４２よりも小さい。弾性部材４３の一方の端部は、基部突起部４１７に嵌めこまれる。爪部材４２の下部には、径方向内側に向かって突出する略円柱状の爪側突起部４２４が形成される。弾性部材４３の他方の端部は、爪側突起部４２４に嵌めこまれる。第１開口部４１４１の爪部材４２の下側には、第１開口部４１４１の下部から上方に突出する爪案内部４１６が設けられる。爪案内部４１６は、ガイド部から周方向に延びており、第１開口部４１４１の周方向中央部分において、分断されている。爪案内部４１６およびガイド部の径方向外側には、径方向外側に広がるフランジ４１９が設けられる。爪案内部４１６は、爪部材４２を下方から支持して爪部材４２の移動を案内する。
【００２８】
図４に示すように、ケース上部４１２には、ゲート痕４２１が形成される。本実施形態においては、ゲート痕４２１は３箇所に形成されており、各第１開口部４１２の時計回りの方向、かつ、各第１開口部４１２の時計回りの方向に最も近いスリット４２０との間に配置される。また、各ゲート痕４２１は、第１開口部４１４１の径方向の内端およびスリット４２０の径方向内端よりも径方向外側に配置される。
【００２９】
各ゲート痕４２１は、各調芯爪４１５の周方向の中心と中心軸Ｊ１を結ぶ直線Ｌ１、および、直線Ｌ１から反時計回り方向における第１開口部４１４１および第２開口部４１４２との間の領域Ａ１に形成されていればよい（図１７参照）。
【００３０】
調芯爪４１５、スリット４２０、第１開口部４１４１、第２開口部４１４２、および各ゲート痕４２１は、中心軸J１に対して点対称に配置される。
【００３１】
図５は、爪部材４２の平面図である。図５における爪部材４２の右側が先端部である。図６は、図５中に矢印Ａにて示す位置における爪部材４２の中央での縦断面図であり、断面より奥の形状も示している。爪部材４２は、爪部本体６１および２つの羽根部６２を備える。爪部本体６１は、チャッキング装置４０にディスク９が固定される際にディスク９と当接する。羽根部６２は、爪部本体６１の両側部から後方および側方へと広がる。羽根部６２は、内側羽根部６２１と、外側羽根部６２２と、を備える。内側羽根部６２１は、爪部本体６１から直接後方へと延び、弾性部材４３の側方に位置する。外側羽根部６２２は、内側羽根部６２１のさらに外側に位置し、さらに後方へと延びる。
【００３２】
先端部６３は、爪部本体６１の中心軸Ｊ１から最も離れた部位である。先端部６３は、平面視した場合にディスク９の中心孔９１に向かって突出する、円弧状に湾曲した形状を有する。平面視における先端部６３の曲率半径は、中心孔９１よりも小さい。爪部本体６１の上面６４は、中心軸Ｊ１に略垂直である。上面６４の周方向両側の部位である面６４ａは、中央の部位よりも下側に位置している。換言すれば、上面６４の中央の部位は、上方に凸である。
【００３３】
爪部材４２は、図５中の矢印Ａにて示す位置における断面を対称面として対称である。図６に示すように、爪部本体６１は、先端部６３の先端６３０から中心軸Ｊ１に向かうに従ってディスク載置部４４に近づく面６５１を有する。面６５１は、ディスク載置部４４に載置されたディスク９の中心孔９１の上側エッジに当接する面である。以下、面６５１を「ディスク押さえ面」という。
【００３４】
周方向におけるディスク押さえ面６５１の中央には、先端６３０から離れた位置から中心軸Ｊ１に向かって延びる溝部６５２が設けられる。溝部６５２の底面６５３は、中心軸Ｊ１に近づくに従って下方へと向かう。底面６５３は、図３に示す爪案内部４１６と摺接する面であり、以下、「第１摺接面」という。
【００３５】
第１摺接面６５３は、符号７１を付す範囲に存在する内側第１摺接面６５４と、符号７２を付す範囲に存在する外側第１摺接面６５５と、を有する。内側第１摺接面６５４は、径方向の内側の部位である。外側第１摺接面６５５は、内側第１摺接面６５４よりも径方向外側の部位であり、中心軸Ｊ１とのなす角が内側第１摺接面６５４よりも小さい。換言すれば、中心軸Ｊ１に垂直な平面に対する外側第１摺接面６５５の傾斜角は、内側第１摺接面６５４よりも大きい。図６では、内側第１摺接面６５４と外側第１摺接面６５５との間の角度差を、符号θにて示している。内側第１摺接面６５４と外側第１摺接面６５５とは、滑らかに接続される。具体的には、内側第１摺接面６５４と外側第１摺接面６５５との境界近傍は、半径１ｍｍ程度の曲面である。
【００３６】
爪側突起部４２４の周囲の面６６は、図３の弾性部材４３が当接する当接面として機能する。以下、面６６を「当接面６６」と呼ぶ。なお、通常、爪側突起部４２４の外周面の一部も弾性部材４３に当接する。爪部本体６１は、爪側突起部４２４の上側に位置するヌスミ部６７をさらに有する。ヌスミ部６７は、当接面６６から径方向外方へと向かって窪む穴部である。ヌスミ部６７が設けられることにより、上面６４近傍の部位、先端部６３および第１摺接面６５３近傍の部位の薄肉化が実現される。
【００３７】
図７は、爪部材４２の先端部６３近傍の断面を拡大して示す図である。先端部６３は、径方向外方である図７の右側を向く先端面６３１を有する。先端面６３１は、ディスク押さえ面６５１の上側に位置する。先端面６３１の断面は、直線状である。先端面６３１とディスク押さえ面６５１との間には、断面において径方向外方に向かって凸となる曲線状である下側面取形状面６３３が位置する。符号Ｒ１を付して示す下側面取形状面６３３の曲率半径は、０．１ｍｍ以上０．２ｍｍ以下である。先端面６３１の上側では、断面が中心軸Ｊ１に垂直な直線状の上面６４が径方向内方に向かって延びる。上面６４と先端面６３１との間には、断面において略上方に向かって凸となる上側面取形状面６３５が位置する。符号Ｒ２を付して示す上側面取形状面６３５の曲率半径は、０．１ｍｍ以上０．３ｍｍ以下である。
【００３８】
先端面６３１、下側面取形状面６３３およびディスク押さえ面６５１は、滑らかに接続される。断面において下側面取形状面６３３の法線が先端面６３１の法線に対して平行となる点を、先端面６３１と下側面取形状面６３３との境界とみなし、以下、この境界を先端面６３１の「下端６３６」と呼ぶ。同様に、下側面取形状面６３３の法線とディスク押さえ面６５１の法線とが平行となる点を、下側面取形状面６３３とディスク押さえ面６５１との境界と定める。先端面６３１、上側面取形状面６３５および上面６４も、滑らかに接続される。断面において先端面６３１の法線と上側面取形状面６３５の法線とが平行となる点を先端面６３１と上側面取形状面６３５との境界とみなして、以下、この境界を先端面６３１の「上端６３７」と呼ぶ。上側面取形状面６３５の法線と上面６４の法線とが平行となる点も、上側面取形状面６３５と上面６４との境界と定める。
【００３９】
先端部６３では、先端面６３１は中心軸Ｊ１に沿って上方に向かうに従って中心軸Ｊ１に近づくように傾斜している。先端面６３１の下端６３６は、先端面６３１の上端６３７よりも中心軸Ｊ１から離れている。
【００４０】
なお、面取形状面を無視して先端部６３の形状をより簡略化して表現すれば、先端面６３１は、ディスク押さえ面６５１と滑らかに接続され、上面６４とも滑らかに接続される。先端面６３１とディスク押さえ面６５１との境界が、先端部６３の先端となる。
【００４１】
図６に示すように、内側羽根部６２１の下面、および、外側羽根部６２２の後端の下面は、センタケース４１内にて爪部材４２を収容する空間の底面であるケース内底面と摺接する第２摺接面６２３である。これらの第２摺接面６２３は、略球面状または中心軸が径方向に垂直かつ水平な円筒面状である。図３にて、ケース内底面を、符号４４２を付して示す。本実施形態では、ケース内底面４４２は、ロータホルダ２２の上面であるが、これに限定されない。
【００４２】
外側羽根部６２２の後端は、上方に突出する後端突出部６２４を有する。後端突出部６２４の表面は、後述するように、ケース上部４１２の下面と摺接する第３摺接面６２５である。
【００４３】
図８は、ディスク９が装着されていない状態におけるチャッキング装置４０の縦断面図である。図８では、弾性部材４３の図示を省略している。以下の同様の図においても同様である。また、爪部材４２およびケース上部４２１の断面よりも奥の構造も示している。ケース上部４１２は、下方に突出する案内突起４１８を備える。案内突起４１８は、爪部材４２の後端突出部６２４の上方に位置し、図４にて細線にてその位置を示す。案内突起４１８は、中心軸Ｊ１に向かうに従って上方へと向かうケース内傾斜面４５３を有する。換言すれば、ケース上部４１２の下面４５４は、ケース内傾斜面４５３を備える。
【００４４】
図８に示す状態において、爪案内部４１６の上部は、内側第１摺接面６５４に当接する。爪案内部４１６の径方向内側の面４５１は、爪部本体６１の下部の径方向外側を向く面４５２と当接する。ケース内傾斜面４５３は、爪部材４２の第３摺接面６２５と当接する。
【００４５】
（チャッキング装置の動作）
次に、チャッキング装置４０の動作を説明する。図９ないし図１２は、チャッキング装置４０にディスク９が装着される際の爪部材４２の動作を説明するための図である。まず、図９に示すように、ディスク９の中心孔９１の下側のエッジが、爪部材４２の上面６４と当接する。爪部材４２におけるディスク９の当接位置は一定ではないが、図９では、ディスク９の中心と中心軸Ｊ１とが一致する場合を示している。
【００４６】
爪部材４２の先端部６３が僅かに下降すると、第３摺接面６２５とケース内傾斜面４５３とが摺接することにより、爪部材４２が径方向内方へと移動する。これにより、爪案内部４１６が、ディスク載置動作の初期の段階で、内側第１摺接面６５４から外側第１摺接面６５５へと順に摺接する。内側第１摺接面６５４と外側第１摺接面６５５とは滑らかに接続されるため、爪部材４２の移動は円滑に行われる。
【００４７】
ディスク９がさらに押し込まれると、図１０に示すように羽根部６２は下降し、内側羽根部６２１の第２摺接面６２３と、ケース内底面４４２とが当接する。その後、第２摺接面６２３とケース内底面４４２とが摺接しつつ、爪部材４２は径方向内方へと移動する。このとき、外側第１摺接面６５５と爪案内部４１６とが摺接する。先端部６３は下降し、爪部材４２は、図１０における時計回りに回動する。
【００４８】
図１１に示すように、先端部６３がディスク９の中心孔９１の内周面まで移動すると、図１１に示す状態から先端部６３が内周面に接触しつつ速やかに上方へと移動する。ただし、先端部６３の移動は、図５に示す上面６４の左右の面６４ａとケース上部４１２との当接により制限される。図７に示すように、先端面６３１とディスク押さえ面６５１とは滑らかに接続されるため、先端部６３は、ディスク９の中心孔９１を滑らかに通過することができる。
【００４９】
ディスク９がさらに押し込まれると、図１２に示すように、内側羽根部６２１および外側羽根部６２２の第２摺接面６２３がケース内底面４４２と摺接しつつ、爪部材４２が径方向外方へと移動する。このとき、中心孔９１の上側のエッジとディスク押さえ面６５１とが摺接する。これにより、爪部材４２の先端が中心孔９１から上方へと脱出する。ディスク９がディスク載置面４４１に当接すると、ケース内底面４４２と第２摺接面６２３とが当接し、かつ、ディスク押さえ面６５１と中心孔９１とが当接する状態となる。さらに、爪部材４２の面６４ａとケース上部４１２とが当接する。ディスク押さえ面６５１によりディスク９に径方向外方および下方へと向かう力が作用し、ディスク９がディスク載置面４４１上に固定される。
【００５０】
以上のように、ディスク９がディスク載置部４４に載置される際には、複数の爪部材４２の先端部６３が上下動するとともに径方向に移動する。
【００５１】
図１３は、中心孔９１の内周面に凹部９２が存在する場合に、先端部６３が凹部９２に嵌り込んだ様子を示す図である。中心孔９１の内周面には、ディスク９の規格にて許容される凹部や、貼り合わせ不良による凹部が存在する場合がある。先端部６３が凹部９２に嵌り込んだ場合、先端部６３は、上方へと移動することができない。仮に、ディスク９がディスク載置部４４に載置された後においても先端部６３が凹部９２から脱出できない場合は、チャッキング不要である、いわゆるハーフチャックが生じる。凹部９２以外の段差が存在する場合にも、ハーフチャックが生じる虞がある。チャッキング装置４０では、このようなハーフチャックが生じないように対策がなされている。
【００５２】
図１４は、先端部６３の拡大図である。図１４では、センタケース４１の外側面４５６を上方へと延ばした円筒面４５７を二点鎖線にて示す。円筒面４５７は、中心軸Ｊ１を中心とする円筒面であってケース側部４１３の外周に接する面である。二点鎖線にて示す先端部６３および実線にて示す先端部６３は、先端部６３の先端６３０を円筒面４５７に沿って押し下げた場合の爪部材４２の動きを示す。すなわち、図１４は、先端部６３が凹部９２に嵌り込んだ場合の先端部６３の動きをおよそ示している。実際には、凹部９２に嵌り込んだ先端部６３の先端６３０は、僅かに円筒面４５７よりも径方向外側にはみ出す。
【００５３】
チャッキング装置４０では、先端６３０を円筒面４５７に沿って押し下げた場合に、爪案内部４１６が爪部材４２と最初に当接する位置６８１が、外側第１摺接面６５５上に位置する。ここで、仮に、第１摺接面６５３全体を１つの平面に設計した場合、第１摺接面６５３の傾斜角は、内側第１摺接面６５４と外側第１摺接面６５５の傾斜角の間の角度となる。これにより、図１４に示す場合よりも、第１摺接面６５３と爪案内部４１６とが当接した場合に爪部材４２が受ける径方向内方へと向かう力の大きさが小さくなる。その結果、先端部６３が凹部９２から脱出できなくなって羽根部６２が持ち上がる可能性が高くなる。このように、チャッキング装置４０では、傾斜の異なる内側第１摺接面６５４および外側第１摺接面６５５を設けることにより、ハーフチャックの発生を防止している。もちろん、外側第１摺接面６５５と爪案内部４１６とは、先端部６３の先端６３０が、ディスク９の半分の厚さに相当する高さに至る前に当接する必要がある。
【００５４】
また、チャッキング装置４０では、当接位置６８１が、外側第１摺接面６５５とディスク押さえ面６５１との境界にほぼ一致する。すなわち、当接位置６８１は当該境界に極めて近い位置に位置する。これにより、ディスク押さえ面６５１に先端部６３まで溝部が設けられることが回避され、先端部６３の強度および耐久性が確保される。
【００５５】
チャッキング装置４０では、内側第１摺接面６５４および外側第１摺接面６５５を設けることにより、第１摺接面６５３を１つの平面とする場合と比べて、ディスク９を押し込む初期の段階で押し込みに必要な力が最大となる。換言すれば、ディスク装着時の爪部材４２の回動および先端部６３の下降が小さい。このような作用も、ハーフチャックの防止に寄与している。第３摺接面６２５とケース内傾斜面４５３との摺接によっても、爪部材４２の回動および先端部６３の下降が制限される。
【００５６】
一方、爪部材４２では、ディスク押さえ面６５１の周方向の中央に溝部６５２が設けられ、溝部６５２の底面が第１摺接面６５３となる。したがって、特開２００５−２５１２９８号公報に記載された爪部のように摺接面を左右に設ける場合に比べて、チャッキング装置４０では、当接位置６８１を、爪部材４２が向く方向に関して外側に位置させることができる。なぜならば、爪案内部４１６は、センタケース４１の外側に設けることができないからである。その結果、先端部６３を凹部９２からより容易に脱出させることができる。
【００５７】
具体的には、図１５に示すように、支点６８１、力点６８２、作用点６８３を想定する。支点６８１は、上述の当接位置６８１である。力点６８２は、弾性部材４３が爪部材４２に力を作用するとみなすことができる点である。力点６８２には、支点６８１の下側へと向かう力が作用する。作用点６８３は、先端部６３の先端である。チャッキング装置４０では、支点６８１を容易に径方向外側に位置させることができるため、支点６８１と力点６８２との間の距離に対する支点６８１と作用点６８３との間の距離の比を小さくすることができる。その結果、先端部６３に、凹部９２から上方へと脱出させる大きな力を容易に与えることが実現される。
【００５８】
チャッキング装置４０では、先端部６３に上方へと向かう力を与えるとともに、既述のように、外側第１摺接面６５５と爪案内部４１６との当接により径方向内方へと向かう力が作用するため、ハーフチャックの発生をより確実に防止することが実現される。
【００５９】
なお、設計上、外側第１摺接面６５５とディスク押さえ面６５１との境界に当接位置６８１を近づけることが困難な場合であっても、図１６に示すように、当接位置６８１と、当該境界６５７との間の径方向の距離７３が、先端部６３の先端６３０と境界６５７との間の径方向の距離７４よりも小さいことが好ましい。これにより、先端部６３の強度および耐久性が確保される。
【００６０】
（センタケースの成型について）
センタケース４１の成型について説明する。
【００６１】
センタケース４１は、射出成型にて形成される。射出成型を行うときには、一対の金型である第１金型と第２金型とが用意される。一対の金型の互いの対向面を当接させると、それらの内部に、センタケース４１の射出成型後の形状に対応するキャビティが形成される。
【００６２】
まず、第１金型と第２金型とを当接させ、第１金型と第２金型との間にキャビティを形成する。
【００６３】
次に、第１金型に形成されたゲートを介して、キャビティ内へ、液相の樹脂を流入する。
【００６４】
続いて、キャビティ内の樹脂を、冷却して固化する。キャビティ内の樹脂は、固化されることにより、センタケース４１となる。
【００６５】
その後、一対の金型を開くとともに、第２金型から離型用のピンを突出させる。離型用のピンは、ケース上部４１２の下面４５４に接触する。これにより、センタケース４１を、金型から離型させる。この際、ゲートからセンタケース４１が切り離されるが、ゲートとセンタケース４１とがつながっていた部分が、ゲート痕４２１となる。
【００６６】
以上がセンタケース４１の成型手順である。ところで、図１７を参照して、本実施例形態のセンタケース４１は、ゲート（ゲート痕４２１）が３箇所配置される。液相の樹脂を３箇所からキャビティ内に流入させた際、各ゲートから流入された樹脂が合流する部分にウェルドラインが発生することがある。
【００６７】
流入された樹脂は、キャビティ内における流路が広い部分において流れやすい。つまり流入された樹脂は、流路が広い部分に流れた後、流路が狭い部分において流れることになる。よって、流路が狭い部分は、各ゲートから流入された樹脂が合流する部分になり易い。センタケース４１のような構造であれば、架橋部４１２１や爪案内部４１６、第２開口部４１４２の径方向内側において流路が狭い。したがって、これらの部分にウェルドラインが発生しやすい。
【００６８】
また、ウェルドラインが発生した場合、ディスクの着脱の繰り返しなどによって、ウェルドライン近傍においてクラック発生の原因になる可能性がある。特に、センタケース４１のような構造であれば、架橋部４１２１や爪案内部４１６、第２開口部４１４２の径方向内側は幅が狭く、これらの部位にウェルドラインが発生すると、クラックが発生しやすくなる。
【００６９】
さらに、センタケース４１とシャフト固定部２２１との締結について、センタケース４１のケース基部４１１をシャフト固定部２２１に圧入して固定、または、圧入と接着を併用して固定することがある。この状態では、センタケース４１に対しては、周方向に内部応力が常に発生しており、クラックが発生しやすい環境にて使用される。
【００７０】
本実施形態では、ゲートは、各第１開口部４１４１の時計回りの方向、かつ、各第１開口部４１４１の時計回りの方向に最も近いスリット４２０ａとの間に配置されている。本実施形態のようにゲートを配置することで、一つのゲート（ゲート痕４２１ａ）から流入された樹脂が比較的初期の段階で架橋部４１２１ａや爪案内部４１６ａ、第２開口部４１４２ａの近傍に樹脂が流動し、他のゲート（ゲート痕４２１ｂ、４２１ｃ）から流入された樹脂は架橋部４１２１ａや爪案内部４１６ａ、第２開口部４１４２ａとは異なる部位で合流する。各ゲート（ゲート痕４２１）は、各調芯爪４１５の周方向の中心と中心軸J１を結ぶ直線ｌ１、および、直線Ｌ１から反時計回り方向における第１開口部４１４１ａおよび第２開口部４１４２ａとの間の領域Ａ１（図示ハッチング部）に形成されていればよい。
【００７１】
（変形例）
以上、本発明の実施形態について説明してきたが、本発明は上記実施形態に限定されるものではなく、様々な変更が可能である。
【００７２】
例えば、上記実施形態では、爪案内部４１６が分断されているとしたが、これに限られるものではない。図１８に示すように爪案内部４１６ａおよびフランジ４１９ａが第１開口部４１４１の周方向中央部分においてつながっていてもよい。
【００７３】
また、上記実施形態では、爪案内部４１６は第１開口部４１４１の周方向中央部分において分断されているとしたが、これに限られるものではない。例えば、第１開口部４１４１の時計回り方向の周方向端部で分断されているなど、他の部位で分断されていてもよい。フランジ４１９についても同様である。
【００７４】
また、上記実施形態では、各ゲート痕４２１は、各調芯爪４１５の周方向の中心と中心軸Ｊ１を結ぶ直線Ｌ１、および、直線Ｌ１から反時計回り方向における第１開口部４１４１および第２開口部４１４２との間の領域Ａ１に形成されていればよいとしたが、これに限られるものではない。図１９に示すように各ゲート痕４２１ｄは、各調芯爪４１５の周方向の中心と中心軸Ｊ１を結ぶ直線Ｌ１、および直線Ｌ１から時計回り方向における第１開口部４１４１および第２開口部４１４２との間の領域Ａ２に形成されてもよい。
【００７５】
また、上記実施形態では、各ゲート痕４２１は、第１開口部４１４１の径方向の内端およびスリット４２０の径方向内端よりも径方向外側に配置されるとしたが、これに限られるものではない。図２０に示すように、各ゲート痕４２１ｅは、第１開口部４１４１やスリット４２０よりも径方向内側に設けられてもよい。
【００７６】
また、上記実施形態では、爪部材４２に溝部６５２が設けられ、溝部６５２と爪案内部４１６が摺動するとしたが、これに限られるものではない。爪部材４２に溝部６５２が設けられず、面６５１が爪案内部４１６と摺動してもよい。また、爪部材の側部に爪案内部と摺動する部位が設けられてもよい。
【００７７】
また、上記実施形態では、フランジ４１９が設けられていたが、設けられなくてもよい。
【００７８】
爪部材４２の数は３より多くてもよい。環状のディスク載置面４４１は完全に環状である必要はなく、中心軸Ｊ１を中心としておよそ環状に存在するのであれば、不連続に存在する面であってもよい。
【００７９】
チャッキング装置４０は、光ディスク以外の様々な種類のディスクを駆動する装置に採用されてよい。さらに、ディスク駆動装置５０は、ディスク９に対する情報の読み出しおよび書き込みの一方または両方、すなわち、読み出しおよび／または書き込みを行うものであればよい。ディスク駆動装置５０は、蓋が開閉するタイプ以外のものであってもよく、例えば、ディスク９が載置されるトレイが筐体から出し入れ可能とされる、いわゆるトレイタイプであってもよい。
【産業上の利用可能性】
【００８０】
本発明に係るモータは、ディスクに対する情報の読み出しおよび／または書き込みを行う様々な記録ディスク駆動装置に利用することができる。
【符号の説明】
【００８１】
１    モータユニット
９    ディスク
２０    回転部
３０    静止部
４０    チャッキング装置
４１    センタケース
４２    爪部材
４３    弾性部材
４４    ディスク載置部
５０    ディスク駆動装置
５１    アクセス部
５２    筐体
９１    中心孔
４１２    ケース上部
４１３    ケース側部（ガイド部）
４１４    開口
４１５    調芯爪
４１６    爪案内部
４１７    基部突起部
４１９    フランジ
４２０    スリット
４２１    ゲート痕
４５４    （ケース上部の）下面
４５８    円筒面
４１２１    架橋部
４１４１    第１開口部
４１４２    第２開口部
Ａ１    領域
Ｊ１    中心軸
Ｌ１    直線
【図１】
2012014801.tif 000003
【図２】
2012014801.tif 000004
【図３】
2012014801.tif 000005
【図４】
2012014801.tif 000006
【図５】
2012014801.tif 000007
【図６】
2012014801.tif 000008
【図７】
2012014801.tif 000009
【図８】
2012014801.tif 000010
【図９】
2012014801.tif 000011
【図１０】
2012014801.tif 000012
【図１１】
2012014801.tif 000013
【図１２】
2012014801.tif 000014
【図１３】
2012014801.tif 000015
【図１４】
2012014801.tif 000016
【図１５】
2012014801.tif 000017
【図１６】
2012014801.tif 000018
【図１７】
2012014801.tif 000019
【図１８】
2012014801.tif 000020
【図１９】
2012014801.tif 000021
【図２０】
2012014801.tif 000022